(57)【要約】【課題】常に新鮮な飲料水を家庭内に備蓄しておくことができる非常用飲料水タンクを提供する。【解決手段】タンク本体１と、タンク本体１の上部に設けられ、水道に接続されるホース３が取り付けられる取水口２と、タンク本体１内に多段状に互い違いに配設されて、蛇行状の流水路５を形成する複数の整流板４と、下端部の水入口７がタンク本体１内の底部に位置し、上端部の水出口８がタンク本体１の所要部に位置する平時用の給水管６と、タンク本体１の下部に設けられた開閉可能な非常時用の給水口９とを備えてなる。【選択図】図１
2014105421.tif 000002
【特許請求の範囲】
【請求項１】
密閉状のタンク本体と、タンク本体の上部に設けられ、水道に接続されるホースが取り付けられる取水口と、タンク本体内に多段状に互い違いに配設されて、蛇行状の流水路を形成する複数の整流板と、下端部の水入口がタンク本体内の底部に位置し、上端部の水出口がタンク本体の所要部に位置する平時用の給水管と、タンク本体の下部に設けられた開閉可能な非常時用の給水口とを備えてなる非常用飲料水タンク。
【請求項２】
タンク本体の上部に空気導入口を設けると共に、タンク本体が満水状態になると空気導入口を閉じ、水道の断水時にタンク本体の水位が満水状態から下がると空気導入口を開くフロート弁を設けてなる請求項１に記載の非常用飲料水タンク。
【請求項３】
上部に大気に開放した点検口を有するタンク本体と、タンク本体の上部に設けられ、水道に接続されるホースが取り付けられる取水口と、タンク本体内の水位が所定水位に達すると取水口を閉じる取水弁と、タンク本体内に多段状に互い違いに配設されて、蛇行状の流水路を形成する複数の整流板と、タンク本体の底部に設けられた平時用の給水口と、タンク本体の下部に設けられた開閉可能な非常時用の給水口と、水道の断水時にタンク本体の水位が前記所定水位より下がると平時用の給水口を閉じるフロート弁とを備えてなる非常用飲料水タンク。
【請求項４】
タンク本体の上壁部下面に複数本の整流板保持ロッドを下向き垂直方向に取り付け、これらのロッドで前記多段状に配設される整流板を保持するようにしてなる請求項１〜３の何れかに記載の非常用飲料水タンク。
【発明の詳細な説明】
【技術分野】
【０００１】
本発明は、地震や台風等の災害発生時における不意の断水に備え、必要最低限の新鮮な飲料水を確保することのできる非常用飲料水タンクに関するものである。
【背景技術】
【０００２】
地震等の広域災害が発生すると、水道管の破損、停電を原因とした給水ポンプの停止等による断水が懸念され、斯かる不意の事態に備えるべく、各家庭においては常日頃より必要最低限飲料水を確保し、これを備蓄しておくことが望まれる。従って、近年においては市販のペットボルト入り飲料水を非常時用として買い置きする家庭が増加している。
【発明の概要】
【発明が解決しようとする課題】
【０００３】
しかし、市販のペットボルト入り飲料水を買い置きする場合には、このペットボルト入り飲料水に品質保証期限が設定されていることから、保証期限が訪れる度毎に買い換える必要があって、買い置きしてあったペットボルト入り飲料水が無駄になるうえ、買い換えの手間や費用がかかるという問題があった。
【０００４】
本発明は、上記のような問題点に鑑みてなされたもので、常に新鮮な飲料水を家庭内に備蓄しておくことができる非常用飲料水タンクを提供することを目的としている。
【課題を解決するための手段】
【０００５】
上記課題を解決するための手段を、後述する実施形態の参照符号を付して説明すると、請求項１に係る発明の非常用飲料水タンクは、タンク本体１と、タンク本体１の上部に設けられ、水道に接続されるホース３が取り付けられる取水口２と、タンク本体１内に多段状に互い違いに配設されて、蛇行状の流水路５を形成する複数の整流板４と、下端部の水入口７がタンク本体１内の底部に位置し、上端部の水出口８がタンク本体１の所要部に位置する平時用の給水管６と、タンク本体１の下部に設けられた開閉可能な非常時用の給水口９とを備えてなることを特徴とする。
【０００６】
請求項２は、請求項１に記載の非常用飲料水タンクにおいて、タンク本体１の上部に空気導入口１１を設けると共に、タンク本体１が満水状態になると空気導入口１１を閉じ、水道の断水時にタンク本体１の水位が満水状態から下がると空気導入口１１を開くフロート弁１２を設けてなることを特徴とする。
【０００７】
請求項３に係る発明の非常用飲料水タンクは、タンク本体２１と、タンク本体２１の上部に設けられ、水道に接続されるホース２３が取り付けられる取水口２２と、タンク本体２１内の水位が所定水位ＷＬに達すると取水口２２を閉じる取水弁２６と、タンク本体２１内に多段状に互い違いに配設されて、蛇行状の流水路２５を形成する複数の整流板２４と、タンク本体２１の底部に設けられた平時用の給水口２７と、タンク本体２１の底部に設けられた開閉可能な非常時用の給水口２８と、水道の断水時にタンク本体２１の水位が前記所定水位ＷＬより下がると平時用の給水口２７を閉じるフロート弁２９とを備えてなることを特徴とする。
【０００８】
請求項４は、請求項３に記載の非常用飲料水タンクにおいて、タンク本体２１の上部に点検口２０を開口してなることを特徴とする。
【０００９】
請求項５は、請求項１〜４の何れかに記載の非常用飲料水タンクにおいて、タンク本体１，２１の上壁部１ｂ，２１ｂ下面に複数本の整流板保持ロッド１０を下向き垂直方向に取り付け、これらのロッド１０で前記多段状に配設される整流板４，２４を保持するようにしてなることを特徴とする。
【発明の効果】
【００１０】
上記解決手段による発明の効果を、後述する実施形態の参照符号を付して説明すると、請求項１に係る発明は、加圧式の非常用飲料水タンクであって、このタンクによれば、水道に接続されるホース３を取水口２につなぎ、平時用給水管６の水出口８には日常生活に使用する例えば洗濯機の給水ホースをつないで、水道水をタンク本体１内に注入すると、その水は、上下複数段の整流板４によって形成される蛇行状の流水路５に沿って流下し、タンク本体１内の底部より順次上方に溜まって、満水状態になれば、水道の圧力により、タンク本体１内の底部にある平時用給水管６の水入口７から流入した水が水出口より給水ホースで洗濯機に給水される。この場合、少量用洗濯機で例えば一回７０リットルの水を使うとして、タンク本体１の容量が例えば６０リットルであれば、１回の洗濯でタンク本体１内の水が一巡するため、洗濯する度毎にタンク本体１内の水は新鮮な水道水と入れ代わることになって、新鮮な水道水、即ち飲料水を常に家庭内や職場内等に備蓄できる。
【００１１】
特に、この飲料水タンクによれば、タンク本体１上部にある取水口２からの水道水が、上下複数段の整流板４によって形成される蛇行状の流水路５に沿って整流されながら流下し、平常時は給水管６より排出されるため、タンク本体内で滞留することがなく、従って常に新鮮な水を蓄えることができる。また、断水時は、タンク本体１内の圧力は緩やかに低下していくが、タンク本体１内の水量はそのままであるから、飲料水として使用する場合、タンク本体１の下部にある非常時用給水口９より取水することができる。また、この加圧式非常用飲料水タンクでは、平時用給水管６によって給水する給水場所がタンク本体１よりも高所であっても給水することができる。
【００１２】
請求項２に係る発明によれば、タンク本体１の上部に空気導入口１１を設けると共に、タンク本体１が満水状態になると空気導入口１１を閉じ、水道の断水時にンク本体１の水位が満水状態から下がると空気導入口１１を開放するフロート弁１２を設けているから、非常時用給水口９より水を取り出す場合、タンク本体１内は満水であるため給水口９より少量の水を出しただけで、フロート弁１２の作用によりタンク本体１の上部の空気導入口１１が開放されて、タンク本体１内上部に空気溜まりができ、蛇口１７からの水の排出がスムーズとなる。
【００１３】
請求項３に係る発明は、高置式の非常用飲料水タンクであって、このタンクによれば、取水口２２に水道に接続されるホース２３をつなぎ、平時用の給水口２７には、使用する例えば洗濯機の給水ホースをつないで、水道水をタンク本体２１内に水を注入すると、その水は、上下複数段の整流板２４により形成される蛇行状の流水路２５に沿って流下し、タンク本体２１内の底部より順次上方に溜まって、タンク本体２１の水位が所定水位ＷＬに達すると、取水弁２６の作用で取水口２２が閉じて、タンク本体２１内への水の供給が停止されるから、洗濯機を使用する場合は、その給水によりタンク本体２１内が減水して水位が下がると、取水弁２６の作用により取水口２２が開いてタンク本体２１に水道水が供給される。従って、タンク本体２１内は、常時所定水位ＷＬを維持できる。
【００１４】
また、平時用給水口２７をタンク本体２１の底部に設けて、平常時は、この給水口２７より水を給水するから、タンク本体２１内全体にわたり清浄水が保たれる。また平常時、タンク本体２１底部の給水口２７から給水される水を使用すれば、その使用の度毎にタンク本体２１内の水は新鮮な水道水と入れ代わることになり、タンク本体２１の容量分の新鮮な水道水を常に家庭内あるいは職場内等に備蓄することができる。特に、このタンクでは、タンク本体２１上部にある取水口２２からの水道水が、上下複数段の整流板２４により形成される蛇行状の流水路２５に沿って整流されながら流下し、平常時は給水管６より排出されるため、タンク本体２１内で滞留することがなく、従って常に新鮮な水をタンク本体２１内に蓄えることができる。また、断水時には、それまで満水状態、即ち所定水位ＷＬにあったタンク本体２１の水位が下がると、フロート弁２９が作動して平時用給水口２７が閉じ、タンク本体２１内の水量が確保されから、非常時用給水口２８よりタンク本体２１内の水を使用することができる。また、地震の場合には、整流板２４が防波板として作用するから、タンク本体２１が転倒するのを防止することができる。
【００１５】
請求項４に係る発明によれば、タンク本体２１上部に点検口２０を開口しているから、この点検口２０よりタンク本体２１内の状況を把握することができる。
【００１６】
請求項５に係る発明によれば、タンク本体１，２１の上壁部１ｂ，２１ｂ下面に複数本の整流板保持ロッド１０を下向き垂直方向に取り付け、これらのロッド１０により多段状の整流板４，２４を保持するようにしたから、水圧によって整流板４，２４が大きく変形するようなことがなく、水道水の流通をスムーズに行なわせることができる。
【図面の簡単な説明】
【００１７】
【図１】本発明に係る加圧式非常用飲料水タンクを示す縦断面図である。
【図２】図１のＸ−Ｘ線断面図である。
【図３】(a) は図１の矢印Ｙで示す部分の拡大縦断面図、(b) は(a) のＺ−Ｚ線断面図である。
【図４】本発明に係る高置式非常用飲料水タンクを示す斜視図である。
【発明を実施するための形態】
【００１８】
以下に本発明の好適な一実施形態を図面に基づいて説明すると、図１は加圧式の非常用飲料水タンクを示し、この図において、符号１は水道水が貯水されるタンク本体であり、符号２はタンク本体１の上部に設けられた取水口で、この取水口２には、一端部が図示しない水道の蛇口に接続されたホース３の他端部が取り外し可能に取り付けられる。符号４はタンク本体１内に多段状に互い違いに配設されて、蛇行状の流水路５を形成する複数の整流板である。符号６はタンク本体１内に上下方向に延びて下端部の水入口７がタンク本体１内底の部に位置し、上端部の水出口８がタンク本体１の上部に位置する平時用給水管であり、符号９はタンク本体１の下部に設けられた開閉可能な非常時用給水口である。
【００１９】
タンク本体１は、円筒状の本体胴部１ａと、曲面状の上壁部１ｂと、同じく曲面状の底壁部１ｃと、この底壁部１ｃの周囲を被うように設けられたスカート部（架台）１ｄとからなる。各整流板４は、本体胴部１ａに内嵌する円板に円弧状の切欠部４ａを設けた形状に形成されたもので、円筒状の本体胴部１ａへの取付けにあたっては、各整流板４を本体胴部１ａ内に嵌合させて上下方向所要間隔おきに多段状に配置すると共に、各整流板４の切欠部４ａが互い違いとなるように配置することによって、図１に示すような蛇行状の流水路５を形成することができる。
【００２０】
整流板４の取付けにあたって、図１に示すように、タンク本体１の上壁部１ｂ下面に、複数本の整流板保持ロッド１０を、夫々下向き垂直方向に延びるように各ロッド１０の上端部を固着しておいて、これらのロッド１０を、多段状に配設される整流板４に挿通して各挿通部で整流板４に対し溶接することによって、各整流板４を互いに上下方向一定間隔で且つタンク本体１の本体胴部１ａに対し水平状態に固定することができる。
【００２１】
また、タンク本体１の上壁部１ｂ中央には、空気導入口１１が設けられると共に、平常時にタンク本体１が満水状態になると空気導入口１１を閉じ、水道の断水時にタンク本体１の水位が満水状態から下がると空気導入口１１を開放するフロート弁１２が設けられている。フロート弁１２は、図３の(a) ，(b) に示すように、下端開口部側がタンク本体上壁部１ｂの空気導入口１１と連通する円筒状の弁箱本体１２ａと、弁口１２ｃを備えて、弁箱本体１２ａの上端部に螺嵌される蓋体１２ｂと、弁箱本体１２ａの内周側に取り付けられた骨枠状のフロートガイド１２ｄと、骨枠状ボールガイド１２ｄ内に昇降自在に配置された球状のフロート１２ｅと、弁口１２ｃの内端周縁部に設けられたパッキン１２ｆとからなるもので、タンク本体１が満水状態になると、フロート１２ｅが上昇して弁口１２ｃを閉じ、フロート１２ｅが降下して弁口１１ｃを開口するようになっている。
【００２２】
タンク本体１の底壁部１ｃ中央部にはドレン口１３が設けられ、このドレン口１３には開閉コック１４が設けてある。また、タンク本体１の上部の取水口２には開閉コック１５が設けられ、平時用給水管６の上端部の水出口８には開閉コック１６設けられ、非常時用給水口９には蛇口（水栓）１７が設けられている。
【００２３】
上記のような構成よりなる加圧式非常用飲料水タンクの使用方法について説明すると、先ず、図１に示すように、タンク本体上壁部１ｂの取水口２と、図示しない家庭用の水道の蛇口とをホース３によって接続し、また平時用給水管６の上端部水出口８には、例えば図示しない洗濯機の給水ホース１８を接続する。そして、水道の蛇口及び取水口２の開閉コック１５を開放し、タンク本体１内に水を注入すると、その水は、上下複数段に設けた整流板４によって形成される蛇行状の流水路５に沿って図中矢印の方向に流下し、タンク本体１内の底部より順次上方に溜まっていき、満水状態になると、タンク本体上壁部１ｂの中央部にある空気導入口１１がフロート弁１２によって閉鎖され、タンク本体１内の水が空気導入口１１から流出するのを防止する。
【００２４】
この時、タンク本体１内には２．０〜６．０Ｋgf／ｃｍ2 の水圧が常時かかっており、従って洗濯機を使用する場合、タンク本体１内の水は、平時用給水管６下端部の水入口７から当該給水管６に流入し、上端部の水出口８より給水ホース１８を通じて洗濯機に供給される。この場合、自動洗濯機では、洗濯が終了すれば、給水口が自動的に閉鎖するため、タンク本体１側の取水口２及び水出口８の開閉コック１５，１６は開放したままにしておく。また、平時用給水管６の水出口８に洗濯機の給水ホースを接続しておいた場合に、少量用洗濯機で１回に７０リットルの水を使うと、タンク本体１の容量が６０リットルであれば、１回でタンク本体１内の水が一巡することになり、洗濯する度毎にタンク本体１内の水は新鮮な水道水と入れ代わり、新鮮な水道水、即ち飲料水を常に家庭内や職場内等に備蓄することができる。
【００２５】
また、地震や台風等の災害発生時に水道が断水しても、タンク本体１内に貯っている水量は確保される。即ち、断水時には、タンク本体１内の圧力は緩やかに低下していくが、タンク本体１内の水量はそのままであるから、飲料水として使用する場合は、非常時用給水口９の蛇口１７より普通に取水することができる。なお、人間が一日に必要とする飲料水の最低量は３リットルと言われているから、タンク本体１内に６０リットルの飲料水を貯めておくようにすれば、例えば、家族４人では、５日間凌ぐことができる。
【００２６】
非常時用給水口９より水を取り出す場合、タンク本体１内は満水であるため蛇口１７より少量の水を出しただけで、フロート弁１２の作用でタンク本体上壁部１ｂ中央の空気導入口１１が開放されて、タンク本体１内の上部に空気溜まりができ、蛇口１７からの水の排出がスムーズとなる。
【００２７】
この加圧式非常用飲料水タンクでは、タンク本体１内には例えば２．０〜６．０Ｋgf／ｃｍ2 の水道圧がかかっているから、平時用給水管６によって給水する給水場所がタンク本体１より高所であっても給水することができる。
【００２８】
図４は高置式の非常用飲料水タンクを示す。この図において、符号２１は上部に大気に開放した点検口２０を有するタンク本体であり、符号２２はタンク本体２１の上部に設けられた取水口で、この取水口２２には、一端部が図示しない水道の蛇口に接続されたホース２３の他端部が取り外し可能に取り付けられる。符号２４はタンク本体２１内に多段状に互い違いに配設されて、蛇行状の流水路２５を形成する複数の整流板である。符号２６はタンク本体２１の水位が所定水位ＷＬに達すると取水口２２を閉じる取水弁、符号２７はタンク本体２１の下部に設けられた開閉可能な平時用の給水口、符号２８はタンク本体２１の下部に設けられた開閉可能な非常時用の給水口である。また符号２９は水道の断水時にタンク本体２１の水位が前記所定水位ＷＬより下がると平時用の給水口２７を閉じるフロート弁である。非常時用給水口２８には蛇口３３が取り付けられる。
【００２９】
タンク本体２１は、角筒状の本体周壁部２１ａと、点検口２０を開口形成した上壁部２１ｂと、底壁部２１ｃとからなる。各整流板２４は、本体周壁部２１ａに嵌合する方形板の一端部を切り欠いて切欠部２４ａを形成したもので、角筒状本体周壁部２１ａへの取付けにあたり、各整流板４を本体周壁部２１ａ内に嵌合させて上下方向所要間隔おきに多段状に配置すると共に、各整流板４の切欠部４ａが互い違いとなるように配置することによって、図４に示すような蛇行状の流水路２５を形成したものである。なお、タンク本体２１の上壁部２１ｂには転倒防止ラグ３２を設け、これをタンク設置箇所の壁面等に取り付けてタンクの転倒防止を図るようにしている。またタンク本体上壁部２１ｂの点検口２０には、ゴミ等が入らないように着脱式のカバーを取り付けることができる。
【００３０】
取水弁２６は、図４に概略図示するように、タンク本体２１内の水位が所定水位ＷＬになると、浮き玉３０が上がり、ボールタップ３１の図示しないピストンバルブが閉じて、取水口２２を閉鎖し、またタンク本体２１内の水位が下がると、それとともに浮き玉３０も下がり、ボールタップ３１のピストンバルブが開いて取水口２２を開放するようにしたものである。
【００３１】
フロート弁２９も、図４に概略図示するように、平時用給水口２７の入口にある弁口２９ａを開閉する弁本体２９ｂと、浮き玉２９ｃと、この浮き玉２９ｃと弁本体２９ｂとをつなぐ策体２９ｄと、この策体２９ｄを案内するガイドパイプ２９ｅとからなるもので、水道が断水した時、それまで満水状態にあったタンク本体２１の水位が所定水位ＷＬより下がると、それとともに浮き玉２９ｃが下がって弁本体２９ｂが弁口２９ａを閉じ、それによって平時用給水口２７を閉鎖し、また断水が解除されると取水口２２からタンク本体２１に水道水が注入され、タンク本体２１の水位が前記所定水位ＷＬに達すると、浮き玉２９ｃが上がって弁口２９ａを開放し、平時用給水口２７を開くようになっている。
【００３２】
上記のような構成よりなる高置式非常用飲料水タンクの使用方法について説明すると、この高置式非常用飲料水タンクは、水の自然落下を利用するものであるから、平常時給水するものが例えば洗濯機の場合、その洗濯機よりも上方に設置する。そして、図４に示すように、タンク本体上壁部２１ｂの取水口２２と、図示しない家庭用の水道の蛇口とをホース２３で接続し、また平時用給水口２７には洗濯機の給水ホース（図示せず）を接続する。そして、水道の蛇口を開いてタンク本体２１内に水を注入すると、その水は、上下複数段の整流板２４によって形成される蛇行状の流水路２５に沿って図中矢印の方向に流下し、タンク本体２１内の底部より順次上方に溜まっていく。タンク本体２１の水位が所定水位ＷＬに達すると、取水弁２６の作用により取水口２２が閉じて、タンク本体２１内への水の供給が停止される。特に、このタンクでは、タンク本体２１上部にある取水口２２からの水道水が、上下複数段の整流板２４により形成される蛇行状の流水路２５に沿って整流されながら流下し、平常時は給水管口２７より排出されるため、タンク本体２１内で滞留することがなく、従って常に新鮮な水をタンク本体２１内に蓄えることができる。
【００３３】
洗濯機を使用する場合は、平時用給水口２７につないだ給水ホースにより給水を行なうが、その給水によりタンク本体２１内が減水して水位が下がると、取水弁２６の作用により取水口２２が開いてタンク本体２１に水道水が供給される。従って、タンク本体２１内は、常時所定水位ＷＬを維持することになる。また、平時用給水口２７をタンク本体２１の底部に設けて、平常時は、この給水口２７より給水するから、タンク本体２１内全体にわたり清浄水が保たれる。また平常時において、このタンク本体２１底部の給水口２７から給水される水を使用すれば、その使用の度毎にタンク本体２１内の水は新鮮な水道水と入れ代わることになり、タンク本体２１の容量分の新鮮な水道水を常に家庭内あるいは職場内等に備蓄することができる。
【００３４】
地震や台風等の災害発生時に水道が断水した時には、それまで満水状態、即ち所定水位ＷＬにあったタンク本体２１の水位が下がると、フロート弁２９が作動して平時用の給水口２７が閉じ、タンク本体２１内の水量が確保されから、蛇口を開けて非常時用の給水口２８よりタンク本体２１内の水を飲料水等として使用することができる。
【００３５】
また、地震の場合には、整流板２４が防波板として作用するから、タンク本体２１内の水がタンク上部の点検口２０から溢れ出るのを防止すると共に、タンク本体２１が転倒するのを防止することができる。
【００３６】
図４に示す高置式非常用飲料水タンクにおいても、図１に示す加圧式非常用飲料水タンクと同様に、タンク本体２１の上壁部２１ｂ下面に複数本の整流板保持ロッドを下向き垂直方向に取り付け、これらのロッドで多段状に配設される整流板２４を保持するようにすることができる。即ち、図示は省略するが、タンク本体２１の上壁部２１ｂ下面に、複数本の整流板保持ロッドを、夫々下向き垂直方向に延びるように各ロッドの上端部を固着しておいて、これらのロッドを、多段状に配設される整流板２４に挿通して各挿通部で整流板２４に対し溶接することにより、各整流板２４を互いに上下方向一定間隔で且つタンク本体２１の本体胴部２１ａに対し水平状態に固定することができる。
【符号の説明】
【００３７】
１            タンク本体
２            取水口
３            ホース
４            整流板
５            蛇行状の流水路
６            平時用の給水管
７            平時用給水管の水入口
８            平時用給水管の水出口
９            非常時用の給水口
１０          整流板保持ロッド
１１          空気導入口
１２          フロート弁
２１          タンク本体
２２          取水口２２
２３          ホース
２４          整流板
２５          蛇行状の流水路
２７          平時用の給水口
２８          非常時用の給水口
２９          フロート弁
【図１】
2014105421.tif 000003
【図２】
2014105421.tif 000004
【図３】
2014105421.tif 000005
【図４】
2014105421.tif 000006